(57)【要約】【課題】本発明は、昇降路寸法を拡大することなく、あるいは拡大をなるべく小さくとどめる配置を行うことができるエレベーター装置を提供することを目的とする。【解決手段】前記目的を達成するために本発明にかかるエレベーター装置は、昇降路１内を昇降する乗りかご２及びつり合いおもり３と、乗りかご２とつり合いおもり３を吊持するロープ５と、ロープ５が巻きかけられるトラクションシーブを有する巻上機４とを備えたエレベーター装置において、昇降路１を鉛直方向から見たときの乗りかご２と昇降路壁１ａとの間の空間に、角度調整台を介して垂下状態から上方に向けて所定の角度傾けて方向転換プーリを設けたことを特徴とする。【選択図】  図４
2010275022.tif 000002
【特許請求の範囲】
【請求項１】
昇降路内を昇降する乗りかご及びつり合いおもりと、前記乗りかごと前記つり合いおもりを吊持するロープと、前記ロープが巻きかけられるトラクションシーブを有する巻上機とを備えたエレベーター装置において、
前記昇降路を鉛直方向から見たときの前記乗りかごと前記昇降路壁との間の空間に、角度調整台を介して垂下状態から上方に向けて所定の角度傾けて方向転換プーリを設けたことを特徴とするエレベーター装置。
【請求項２】
請求項１において、所定の角度傾けて設けられた前記方向転換プーリは周縁に前記ロープが巻きかけられた滑車部の側面が面する昇降路側壁と略平行な方向と、前記滑車部の側面が面する昇降路側壁に隣接する昇降路側壁と略平行な方向に前記ロープを案内していることを特徴とするエレベーター装置。
【請求項３】
請求項２において、前記巻上機は前記トラクションシーブの側面が、前記滑車部の側面が面する昇降路側壁に隣接する前記昇降路側壁と略平行に設けられ、所定の角度傾けて設けられた前記方向転換プーリから前記トラクションシーブに向かって前記ロープを案内していることを特徴とするエレベーター装置。
【請求項４】
請求項３において、前記巻上機と前記方向転換プーリは昇降路内に取り付けられていることを特徴とするエレベーター装置。
【請求項５】
請求項１乃至４のいずれかにおいて、所定の角度傾けて設けられた前記方向転換プーリの前記滑車部の周縁には前記ロープを巻き掛けるためのプーリ溝が設けられ、前記方向転換プーリの傾き角度は、前記方向転換プーリの両端に伸びる前記ロープのなす角度を略二等分するように前記プーリ溝が配置されるように調整されていることを特徴とするエレベーター装置。
【発明の詳細な説明】
【技術分野】
【０００１】
本発明はエレベーター装置、特に昇降路内のスペースを有効に使用し得るエレベーター装置に関する。
【背景技術】
【０００２】
多くのエレベーターシステムでは、かごとつり合いおもりがロープで吊持されて連結されており、これらのエレベーターシステムにおいては、かごとつり合いおもりの中間部付近にトラクションシーブが組み込まれた巻上機が配されると共に、トラクションシーブにはロープが巻きかけられ、このトラクションシーブを回転させることにより、かごとつり合いおもりが上下する構成になっている。
【０００３】
図６は従来の方向転換プーリの取付け状態を示す概要図である。従来のエレベーター装置において、ロープ１０５を例えばトラクションシーブなどに案内する方向転換プーリ１０８の使用においては、図６に示すように鉛直方向から傾けることなく、即ち緯度方向に傾けることなくビーム１０９などに取付ける構造が一般的であった。また方向転換プーリ１０８からのロープ１０５の外れ防止，ベアリングの寿命確保，乗かごへの振動低減などの目的からロープ１０５と方向転換プーリ溝１０８の角度関係が制限されていた。
【０００４】
このロープ１０５と方向転換プーリ溝１０８の角度は一般的にフリートアングルと呼ばれ、図６に示す例としてはフリーとアングルがαとして表現されており、このフリートアングルαは、溝付きプーリの場合４°程度か、それより小さい値に制限されるのが一般的である。そしてフリートアングルがαである場合、ロープ１０５と方向転換プーリ１０８の溝との角度関係がフリートアングルα以下となるように、ロープ１０５や方向転換プーリ１０８を設置することが必要となる。なお、従来の技術の方向転換プーリの配置としては、下記特許文献１のような技術が知られている。
【先行技術文献】
【特許文献】
【０００５】
【特許文献１】特開平１１−３０１９５０号公報
【発明の概要】
【発明が解決しようとする課題】
【０００６】
特許文献１によれば、プーリを昇降路の側壁面と平行な軸線に対して向きを傾けて配置すること、即ちプーリを経度方向に回転させることが記載されている。しかし、特許文献１に記載されたプーリも鉛直方向から緯度方向に傾けることなく取付ける構造であり、このように方向転換プーリを配置しても、昇降路内の限られたスペースにさまざまな機器を配置する中で、その配置状態によっては例えば巻上機シーブから方向転換プーリまでの寸法が十分に確保できないために方向転換プーリへのフリートアングル条件をクリアできない場合が発生することがあった。そしてこのような問題を解決するためには、巻上機の全体形状によっては、フリートアングルの条件を満たしながら巻上機を配置するために、昇降路を広げる必要が生じる場合があった。
【０００７】
本発明は、このような問題を解決するためになされたものであり、昇降路寸法を拡大することなく、あるいは拡大をなるべく小さくとどめる配置を行うことができるエレベーター装置を提供することを目的とする。
【課題を解決するための手段】
【０００８】
前記目的を達成するために本発明にかかるエレベーター装置は、昇降路内を昇降する乗りかご及びつり合いおもりと、前記乗りかごと前記つり合いおもりを吊持するロープと、前記ロープが巻きかけられるトラクションシーブを有する巻上機とを備えたエレベーター装置において、前記昇降路を鉛直方向から見たときの前記乗りかごと前記昇降路壁との間の空間に、角度調整台を介して垂下状態から上方に向けて所定の角度傾けて方向転換プーリを設けたことを特徴とする。
【発明の効果】
【０００９】
本発明によれば、昇降路寸法を拡大することなく巻上機を配置することができるエレベーター装置を提供することができる。
【図面の簡単な説明】
【００１０】
【図１】本発明の一実施形態におけるエレベーター装置の全体レイアウトを示す斜視図である。
【図２】図１の平面図である。
【図３】図２の要部拡大平面図である。
【図４】方向転換プーリの角度を傾ける構造を示す要部拡大図である。
【図５】方向転換プーリの両端に伸びるロープとプーリ溝の関係を示す概要図である。
【図６】従来の方向転換プーリの取付け状態を示す概要図である。
【発明を実施するための形態】
【００１１】
以下本発明の実施の形態を、図面を使用して説明する。図１は本発明の一実施形態におけるエレベーター装置の全体レイアウトを示す斜視図、図２は図１の平面図、図３は図２の要部拡大平面図、図４は方向転換プーリの取付状態を説明するための要部拡大図、図５は方向転換プーリの両端に伸びるロープとプーリ溝の関係を示す概要図である。
【００１２】
図１に示すエレベーター装置は昇降路１内に乗りかご２及びつり合いおもり３と、乗りかご２とつり合いおもり３を吊持するロープ５と、ロープ５が巻きかけられるトラクションシーブを有する巻上機４とを備えた機械室のない機械室レスエレベーター装置となっている。
【００１３】
ロープ５は昇降路１頂部に配置したかご側ロープ固定台６に端部が取付けられ、かご側ロープ固定台６から下方に伸び、図２に示すように乗りかご２の下部に設けられた２つのかご下綱車７に巻き掛けられている。そして、図１に示すようにかご下綱車７から上方向に方向転換されて乗りかご２を懸架し、昇降路１頂部に配置したかご側頂部ビーム９に取付けられた方向転換プーリであるかご側頂部綱車８ａ，８ｂに巻き掛けて下方に方向転換される。
【００１４】
最下階床面近傍には巻上機４が配置され、かご側頂部綱車８ｂから下方に案内されたロープ５は巻上機４のトラクションシーブに巻き掛けて上方に方向転換される。そして昇降路１頂部に配置したおもり側頂部ビーム１２に取付けられた方向転換プーリであるおもり側頂部綱車１０に巻き掛けて下方に方向転換され、その後つり合いおもり３の綱車で上方に向かって方向転換されてつり合いおもり３を懸架している。そしておもり側頂部ビーム１２に取付けてあるおもり側ロープ固定台１１にロープ端部を固定している。
【００１５】
また１対の乗りかごガイドレール１３，１４は昇降路１の下部に設けられた台座１５上に設けられて昇降する乗りかご２を案内し、１対のつり合いおもりガイドレール１６，１７は昇降路１の下部に設けられた台座１９上に設けられて昇降するつり合いおもり３を案内する。
【００１６】
本実施形態では、かご側頂部綱車８ａ，８ｂ、おもり側頂部綱車１０は図２に示すように昇降路１を鉛直方向から見たときの乗りかご２と昇降路壁１ａとの間の空間に取付けられている。そして、かご側頂部綱車８ｂの取付構造として、図４に示すようにかご側頂部綱車８ｂを緯度方向に傾ける、つまり垂下状態から上方に向けて所定の角度傾けるように角度調整台１８を取付け、かご側頂部綱車８ｂは角度調整台１８を介してかご側頂部ビーム９に取付けられている。
【００１７】
かご側頂部綱車８ｂは、かご側頂部ビーム９を貫通して設けられたロッド部２０と、ロッド部２０に切られたネジ山と螺着してかご側頂部綱車８ｂをかご側頂部ビーム９に固定する取付ナット２１と、取付ナット２１を受ける受座２２と、ロッド２０に取付けられた綱車ケース２３と、綱車ケース２３内に備えられた滑車部２４と、綱車ケース２３に滑車部２４を回転可能に軸支して固定している軸２５から構成されている。角度調整台１８，受座２２はロッド部２０が貫通可能な孔が設けられていて、取付ナット２１を締めることでかご側頂部綱車８はかご側頂部ビーム９に角度調整台１８を介して取付けられる。このような構成により、壁面と平行な垂直軸２６に対して、滑車部２４を横方向から見ての滑車部２４の周縁に設けられたロープ５が巻き掛けられるプーリ溝に沿って引いた軸線２７の角度は上方に向けてβ度だけ傾くことになる。これにより、従来のかご側頂部綱車８ｂを鉛直方向に取付けた図６の構造と比較して、図４に示すようにフリートアングルαが小さくてもβ±αの角度内にロープ５を配置させることができればよいので、結果的に図３に示すＡ寸法を小さくすることが可能となり、昇降路寸法を広げることなく巻上機を配置することを可能とする。
【００１８】
なお、ロープ５はかご側頂部綱車８ａから滑車部２４の側面が面する昇降路側壁と略平行な方向に案内されて、所定の角度β°傾けて設けられた傾斜配置方向転換プーリであるかご側頂部綱車８ｂに至っている。また、ロープ５は傾斜配置方向転換プーリであるかご側頂部綱車８ｂから滑車部２４の側面が面する昇降路側壁に隣接する昇降路側壁と略平行な方向に案内されて、巻上機４のトラクションシーブに至っている。このような構成により、昇降路１を鉛直方向から見たときの乗りかご２と昇降路壁１ａとの間の空間を有効に利用することができ、昇降路１が大型化することを防止することができる。
【００１９】
さらに、本実施形態において、巻上機４はトラクションシーブの側面が、滑車部２４の側面が面する昇降路側壁に隣接する昇降路１の側壁１ａと略平行となるように配置されていて、ロープ５は所定の角度傾けて設けられた傾斜配置方向転換プーリであるかご側頂部綱車８ｂから巻上機４のトラクションシーブに向かって案内されている。このようにトラクションシーブの側面が滑車部２４の側面が面する昇降路側壁に隣接する昇降路１の側壁１ａと略平行となるように巻上機４が配置されているため、その側壁１ａと略平行に案内されるロープ５を巻き掛けやすくなり、より空間を有効に利用することが可能となる。
【００２０】
このような点から、前述の構成は巻上機４と傾斜配置方向転換プーリであるかご側頂部綱車８ｂなどが昇降路内に取付けられるスペースの確保がより厳しい機械室レスエレベーター装置において、スペースの有効利用という観点において有利な手段となる。もちろん機械室レスエレベーター装置でなく通常の機械室に巻上機を設けたエレベーター装置におけるスペースの利用に対しても有効であることは明らかである。
【００２１】
なお、方向転換プーリであるかご側頂部綱車８ａ及びおもり側頂部綱車１０は本実施形態では図６に示すように垂下状態から上方に向けて所定の角度傾けていない通常配置方向転換プーリとなっている。このように、傾斜配置方向転換プーリと通常配置方向転換プーリを混在させて、ロープ５を案内する方向に合わせてそれぞれの方向転換プーリを配置することでより昇降路１内の空間を有効に利用することが可能となる。
【００２２】
さらに、図２に示すようにおもり側頂部綱車１０は、通常配置方向転換プーリでありながら、側面が面する壁面１ａに対して所定の角度傾けて即ち経度方向に傾けて巻上機４のトラクションシーブとつり合いおもり３の綱車を結ぶように設置されている。このように傾斜配置方向転換プーリと通常配置方向転換プーリを、ロープ５を案内する方向に合わせて、経度方向に回転させて配置してもよい。このような構成によってもより昇降路１内の空間を有効に利用することが可能となる。
【００２３】
なお、傾斜配置方向転換プーリであるかご側頂部綱車８ｂの所定の傾き角度β°は図５に示すように、滑車部２４を横方向から見ての滑車部２４の周縁に設けられたロープ５が巻き掛けられるプーリ溝に沿って引いた軸線２７がかご側頂部綱車８ｂの一方端から伸びるロープ５ａと他方端から延びるロープ５ｂのなす角度をａ°ずつ略二等分するように配置されるように調整されているのがよい。このように構成することによって、かご側頂部綱車８ｂにかかる荷重を均等に受けることができ、性能を安定して確保できる上、滑車部２４や軸２５などの長寿命化などを図ることができる。
【００２４】
以上説明したように、本実施形態におけるエレベーター装置によれば、巻上機シーブ側面からの幅が比較的大きい巻上機を昇降路内にレイアウトしたエレベーター装置や、エレベーター装置の乗かごの昇降行程が短い場合でも、昇降路寸法を広げることなく巻上機を配置することが可能となる。
【００２５】
なお、本実施形態においては傾斜配置方向転換プーリであるかご側頂部綱車８ｂから、巻上機４のトラクションシーブに向かってロープ５を案内する例を挙げて説明したが、本発明はこれに限られるものではなく、昇降路１を鉛直方向から見たときの乗りかご２と昇降路壁１ａとの間の空間内でロープ５を案内してスペースを有効に利用する手段として、トラクションシーブ以外の部材に案内するために用いることが可能であることは明らかである。
【符号の説明】
【００２６】
１  昇降路
１ａ  昇降路壁
２  乗りかご
３  つり合いおもり
４  巻上機
５  ロープ
６  かご側ロープ固定台
７  かご下綱車
８  かご側頂部綱車
９  かご側頂部ビーム
１０  おもり側頂部綱車
１１  おもり側ロープ固定台
１２  おもり側頂部ビーム
１３  ロープ固定台側かご側ガイドレール
１４  反ロープ固定台側かご側ガイドレール
１５  かご側ピットベース
１６  ロープ固定台側おもり側ガイドレール
１７  反ロープ固定台側おもり側ガイドレール
１８  角度調整台
１９  おもり側ピットベース
２０  ロッド部
２１  取付ナット
２２  受座
２３  綱車ケース
２４  滑車部
２５  軸
２６  垂直軸
２７  プーリ溝に沿って引いた軸線
【図１】
2010275022.tif 000003
【図２】
2010275022.tif 000004
【図３】
2010275022.tif 000005
【図４】
2010275022.tif 000006
【図５】
2010275022.tif 000007
【図６】
2010275022.tif 000008